(57)【要約】（ａ）（ｉ）演算装置と、（ｉｉ）演算装置と動作可能に接続される光通信要素とを具備するデータカードからなる光学通信装置であって、光通信要素が、データカードと外部装置の間で光学情報を転送することを特徴とする光学通信装置及び方法。
2004517397.tif 000002
【特許請求の範囲】
【請求項１】
（ａ）（ｉ）演算装置と、（ｉｉ）前記演算装置と動作可能に接続される光通信要素とを具備するデータカードからなる光学通信装置であり、前記光通信要素が、前記データカードと外部装置の間で光学情報を転送することを特徴とする光学通信装置。
【請求項２】
前記カードの物理的な大きさがクレジット・カードに似ていることを特徴とする請求項１の装置。
【請求項３】
前記カードの第１側面が光学データ領域を含むことを特徴とする請求項１の装置。
【請求項４】
前記第１側面の反対側にある第２側面が電気接触領域を含むことを特徴とする請求項１の装置。
【請求項５】
前記カードの前記側面の少なくとも一方に少なくとも１つの電流発生領域を含むことを特徴とする請求項１の装置。
【請求項６】
前記両面が磁気接触領域を含むことを特徴とする請求項１の装置。
【請求項７】
前記カードが更に、
（ｉｉｉ）前記演算装置に対してエネルギーを供給するためのエネルギー蓄積セルを含む請求項１の装置。
【請求項８】
前記蓄積セルが電池を含むことを特徴とする請求項７の装置。
【請求項９】
前記電流発生領域が、光電セル、光起電力セル及びソーラーセルからなる群から選択された少なくとも１種類のセルを含むことを特徴とする請求項５の装置。
【請求項１０】
前記演算装置が前記セルと動作可能に接続されていることを特徴とする請求項９の装置。
【請求項１１】
前記電池が前記カードの実質的に均等な放射状の重量配分を提供するために配置されることを特徴とする請求項８の装置。
【請求項１２】
前記カードが実質的に環状であることを特徴とする請求項８の装置。
【請求項１３】
前記カードが更に、
（ｉｉｉ）３６０度未満に広がる扇形をした光学データ領域を含む請求項１の装置。
【請求項１４】
前記カードがコンパクト・ディスクであることを特徴とする請求項１の装置。
【請求項１５】
前記外部装置がコンパクト・ディスク・ドライブであることを特徴とする請求項１の装置。
【請求項１６】
前記外部装置がコンパクト・ディスク・ドライブ・リーダーであることを特徴とする請求項１の装置。
【請求項１７】
前記カードがコンパクト・ディスクであり、前記カードが更に、
（ｉｉｉ）レーザーからデータを記録するための光学記録可能データ領域を含むことを特徴とする請求項１の装置。
【請求項１８】
前記光通信要素が少なくとも１つの光吸収装置および少なくとも１つの発光装置を含むことを特徴とする請求項１の装置。
【請求項１９】
前記光吸収装置が光電性セルを含むことを特徴とする請求項１８の装置。
【請求項２０】
前記発光装置が発光ダイオード（ＬＥＤ）、マルチチップ・マイクロポッド、ＬＥＤ光学ストリップ、レーザー・ダイオード（ＬＤ）、フレキシブル・パスＬＥＤからなる群から選択される少なくとも１つの装置を含むことを特徴とする請求項１８の装置。
【請求項２１】
前記演算装置がセラミック、反射部、平板、レンズ、２色、２色反射部、抵抗器、点滅チップからなる群から選択される少なくとも１つの集積回路チップを含むことを特徴とする請求項１の装置。
【請求項２２】
前記演算装置がランダム・アクセス・メモリ領域を含むことを特徴とする請求項１の装置。
【請求項２３】
前記演算装置が読み取り専用メモリ領域及び電気的プログラマブル・メモリ領域からなる群から選択されるメモリ領域を更に含むことを特徴とする請求項２２の装置。
【請求項２４】
前記メモリ領域がデータ及びプログラムを含むことを特徴とする請求項２３の装置。
【請求項２５】
前記プログラムがメモリ・アクセス・プログラムを含むことを特徴とする請求項２４の装置。
【請求項２６】
前記プログラムがオペレーション・システムを含むことを特徴とする請求項２４の装置。
【請求項２７】
前記プログラムが識別プログラムを含むことを特徴とする請求項２５或いは２６の装置。
【請求項２８】
前記プログラムがデータ処理プログラムを含むことを特徴とする請求項２５或いは２６の装置。
【請求項２９】
前記ＣＤドライブ・リーダーがオン／オフ方法を用い光学データを発信するため設計及び設定されることを特徴とする請求項１６の装置。
【請求項３０】
前記ＣＤドライブ・リーダーが集中処理方法を用いて光学データを発信するため設計及び設定されることを特徴とする請求項１６の装置。
【請求項３１】
前記ＣＤドライブ・リーダーがオン／オフ・ピンに対し変調ビームを用い光学データを発信するため設計及び設定されることを特徴とする請求項１５の装置。
【請求項３２】
前記光通信要素が発光ダイオード（ＬＥＤ）を含むことを特徴とする請求項１の装置。
【請求項３３】
前記光通信要素がレーザー・ダイオード（ＬＤ）を含むことを特徴とする請求項１の装置。
【請求項３４】
前記カードが、（ｉｉｉ）前記演算装置に接続された光検出要素を含むことを特徴とする請求項１に記載の装置。
【請求項３５】
コンパクト・ディスク（ＣＤ）ドライブのレーザーから電流を発生するための要素を少なくとも１つ有するデータ・ディスクからなることを特徴とする装置。
【請求項３６】
前記ディスクが前記要素と接続された演算装置を含むことを特徴とする請求項３５に記載の装置。
【請求項３７】
前記要素が、光電セル及び光起電力セルからなる群から選択される少なくとも１つのセルを含むことを特徴とする請求項３５に記載の装置。
【請求項３８】
電流の追加発電のためにソーラーセルからなることを特徴とする請求項３５に記載の装置。
【請求項３９】
前記電流を蓄積し、必要とされる追加の電流を供給するための電池からなることを特徴とする請求項３５に記載の装置。
【請求項４０】
（ａ）データ・ディスクを含む装置を提供し、このディスクが
（ｉ）演算装置と、
（ｉｉ）前記演算装置に接続された光通信要素
を有し、（ｂ）前記光通信の要素を用いる前記データ・ディスクと外部装置間で光学情報の通信を行う、
段階からなることを特徴とする情報を通信する方法。
【請求項４１】
前記光学情報の通信が、前記光通信要素を用いる外部光源からの光学入力の受け取りを含むことを特徴とする請求項４０に記載の方法。
【請求項４２】
前記光学情報の通信が、前記光通信の要素を用いる外部装置への光学出力の放射を含むことを特徴とする請求項４０に記載の方法。
【請求項４３】
前記光通信の要素が、発光ダイオード（ＬＥＤ）及びレーザー・ダイオード（ＬＤ）からなる群から選択されるダイオードであることを特徴とする請求項４０に記載の方法。
【請求項４４】
前記演算装置がデジタル情報を処理することを特徴とする請求項４０に記載の方法。
【請求項４５】
前記デジタル情報が前記装置のオペレーション・プログラムを含むことを特徴とする請求項４４に記載の方法。
【請求項４６】
前記演算装置が、少なくとも不変、一時的、再記不可能データからなる群から選択される種類のデータを処理することを特徴とする請求項４０に記載の方法。
【請求項４７】
前記演算装置が、金融、セキュリティ、認証及び個人情報からなる群から選択される情報を含むデータを処理することを特徴とする請求項４０に記載の方法。
【請求項４８】
前記外部光源がＣＤドライブに接続されていることを特徴とする請求項４０に記載の方法。
【請求項４９】
前記光学入力の受信が、オン／オフ方法を用いて行われることを特徴とする請求項４１の方法。
【請求項５０】
前記光学入力の受信が、集中処理方法を用いて行われることを特徴とする請求項４１の方法。
【請求項５１】
前記光学の受信が、調整されたビームを用いて行われることを特徴とする請求項４１の方法。
【請求項５２】
前記光学入力の受信が、ＯＳ発見処理を用いて行われることを特徴とする請求項４１の方法。
【請求項５３】
前記光学入力の受信に、「Ｒｅｌｏａｄ Ｔｒａｃｋ」命令を用いて行われることを特徴とする請求項４１の方法。
【請求項５４】
前記光学入力の受信に、「ＳＥＥＫ」命令を用いて行われることを特徴とする請求項４１の方法。
【請求項５５】
前記光学入力の受信が、前記外部光源のレンズ位置の制御により行われ、前記レンズが検出領域の真下を出入りすることを特徴とする請求項４１の方法。
【請求項５６】
前記演算装置が、前記ディスク上に配置された光学データ蓄積領域と通信することを特徴とする請求項４０の方法。
【請求項５７】
前記光学データ蓄積領域が、記録可能、読み取り可能、不変、読み取り専用、及び再記不可能な領域を有することを特徴とする請求項４０の方法。
【請求項５８】
前記演算装置がオペレーション・システム命令を処理することを特徴とする請求項４０の方法。
【請求項５９】
前記演算装置が、前記光通信要素により、外部装置とともに前記ディスクの通信を制御することを特徴とする請求項４０の方法。
【請求項６０】
前記光源により、前記演算装置に配列されたデータが光蓄積領域から受信され、光蓄積領域へ通信されることを特徴とする請求項４０の方法。
【請求項６１】
（ｃ）前記ディスク上のデータをエンクリプト化する段階からなることを特徴とする請求項４０の方法。
【請求項６２】
（ｃ）前記ディスク上に配列された少なくとも一つのアルゴリズムによって、前記データがエンクリプト化される段階からなることを特徴とする請求項４０の方法。
【請求項６３】
（ｃ）前記データをエンクリプト化することが書き込み済みのエンクリプト化ルーティンによりなされる段階からなることを特徴とする請求項４０の方法。
【発明の詳細な説明】
【０００１】
（発明の分野及び背景）
本発明は、内蔵型の演算装置を有する光通信カード、情報処理方法及びカードユーザとＣＤ−ＲＯＭドライブのような外部光学カード読み取り装置との間の通信の方法に関する。
【０００２】
米国特許第５，９３２，８６６号は、光学カード及び外部接触部と一体になったＩＳＯ標準チップを取り入れている。コンパクト・ディスク記録装置は、データをカードの光学領域へ読み取って書き込みを行い、更に積載されたチップは、光学データアクセスを管理するために用いられる。
この発明は、外部装置と通信するためにＩＣチップターミナル接触に依存するため制限を受ける。
【０００３】
米国特許第５，７７７，９０３号は、搭載型ソーラーセル、キーパッド、ディスプレイ及びデータ・インターフェース・ターミナルと一体になったカードを含む。このことは、カードユーザが、外部装置を使用することなくカードに蓄積されたデータにアクセスすることを可能とする。
しかしながら、このタイプのカードは、メモリの容量が小さく、蓄積された財務情報を同調及び更新させるためネットワーク或いはパーソナルコンピューターへの頻繁な書き込みを必要とする。
【０００４】
米国特許第５，９３２，８６５号は、セキュリティ確認データをキャッシュカードの本体に含んだ光学ストライプを有する事により電子キャッシュカードの仮のアドレス指定し、このセキュリティ確認データは、問い合わせが行われた識別データに対し外部装置で読み取り、対照することができる。
この方法は、様々なユーザＩＤの蓄積、様々な公共機関の口座の蓄積を提供せずに、１レベル、１ステップのセキュリティ手順のみを提供する。
【０００５】
カードユーザと受取人の間で転送される、信頼の置ける証明可能なデータを要求するユーザの投資、払い戻し、送金に関する処理が重要視されなければならない。
従って、データ蓄積領域、個人的な演算装置及び独立した信用できる電源装置と一体化した通信方法を組み込んだ、改良されたスマートカードのための必要性が認識されている。
更に既知の方法より実質的により安全な、個人の財務情報及び個人情報の蓄積及び交換のための方法を有することは、非常に好都合である。
１つ以上の情報源からのデータの結合を可能とし、１種類以上の演算装置との相互作用を可能とすることは、更に好都合である。通常のＣＤドライブから機能するようなカードもまた更に好都合である。
【０００６】
（発明の要約）
本発明の１つの側面によれば、（ａ）（ｉ）演算装置と、（ｉｉ）前記演算装置と動作可能に接続される光通信要素とを具備するデータカードからなる光学通信装置であり、光通信要素が、データカードと外部装置の間で光学情報を転送する光学通信装置が提供される。
【０００７】
本発明の他の側面によれば、（ａ）（ｉ）演算装置、（ｉｉ）演算装置に動作可能に接続される光通信要素を有するデータ・ディスクを含む装置を提供する、（ｂ）データ・ディスクと光通信要素を用いる外部装置との間の光学情報を通信する段階を含む、情報を通信するための方法が提供される。
本発明の１つの特徴によると、好適な実施形態に記載されている通りカードの物理的な大きさはクレジット・カードに似ている。
本発明の別の特徴によると、好適な実施形態に記載されている通りカードの第１側面が光学データ領域を含む。
【０００８】
本発明の更に別の特徴によると、好適な実施形態に記載されている通り第１側面の反対側の第２側面が電気接触領域を含む。
本発明の更に別の特徴によると、好適な実施形態に記載されている通りカードの面の少なくとも１つが少なくとも１つの電流発生領域を含む。
本発明の更に別の特徴によると、好適な実施形態に記載されている通り、前記側面は磁気接触領域を含む。
【０００９】
本発明の更に別の特徴によると、好適な実施形態に記載されている通り、カードが更に（ｉｉｉ）前記演算装置に対してエネルギーを供給するためのエネルギー蓄積セルを含む。
本発明の更に別の特徴によると、好適な実施形態に記載されている通り、蓄積セルは電池を含む。
本発明の更に別の特徴によると、好適な実施形態に記載されている通り、電流発生領域が、光電セル、光起電力セル及びソーラーセルからなる群から選択された少なくとも１種類の電池を含む。
本発明の更に別の特徴によると、好適な実施形態に記載されている通り、演算装置はセルに動作可能に接続される。
【００１０】
本発明の更に別の特徴によると、好適な実施形態に記載されている通り、電池が前記カードの実質的に均等な放射状の重量配分を提供するために配置される。
本発明の更に別の特徴によると、好適な実施形態に記載されている通り、カードは実質的に環状である。
本発明の更に別の特徴によると、好適な実施形態に記載されている通り、カードが更に、（ｉｉｉ）３６０度未満に広がる扇形をした光学データ領域を含む。
【００１１】
本発明の更に別の特徴によると、好適な実施形態に記載されている通り、カードはコンパクト・ディスクである。
本発明の更に別の特徴によると、好適な実施形態に記載されている通り、外部装置はコンパクト・ディスク・ドライブである。
本発明の更に別の特徴によると、好適な実施形態に記載されている通り、外部装置はコンパクト・ディスク・ドライブ・リーダーである。
【００１２】
本発明の更に別の特徴によると、好適な実施形態に記載されている通り、カードはコンパクト・ディスクであり、該カードは更に、（ｉｉｉ）レーザーからデータを記録するための光学記録可能データ領域を含む。
本発明の更に別の特徴によると、好適な実施形態に記載されている通り、光通信要素は、少なくとも１つの光吸収装置と少なくとも１つの発光装置を含む。
【００１３】
本発明の更に別の特徴によると、好適な実施形態に記載されている通り、光吸収装置は、光受容セルを含む。
本発明の更に別の特徴によると、好適な実施形態に記載されている通り、光放射装置は、発光ダイオード（ＬＥＤ）、光ストリップ、レーザーダイオード（ＬＤ）及び柔軟な経路ＬＥＤからなる群から選択される少なくとも１つの装置を含む。
【００１４】
本発明の更に別の特徴によると、好適な実施形態に記載されている通り、演算装置は、セラミック、反射部、平面部、レンズ、２色、２色反射部、レジスタ及びブリンキング・チップからなる群から選択される少なくとも１つの集積回路チップを含む。
【００１５】
本発明の更に別の特徴によると、好適な実施形態に記載されている通り、演算装置はランダム・アクセス・メモリ領域を含む。
本発明の更に別の特徴によると、好適な実施形態に記載されている通り、演算装置は読み取り専用メモリ、電気的プログラマブル・メモリ領域からなる群から選択される少なくとも１つのメモリ領域を更に含む。
本発明の更に別の特徴によると、好適な実施形態に記載されている通り、メモリ領域はデータとプログラムを収容する。
【００１６】
本発明の更に別の特徴によると、好適な実施形態に記載されている通り、プログラムはメモリ・アクセス・プログラムを含む。
本発明の更に別の特徴によると、好適な実施形態に記載されている通り、プログラムはオペレーション・システムを含む。
本発明の更に別の特徴によると、好適な実施形態に記載されている通り、プログラムは識別プログラムを含む。
本発明の更に別の特徴によると、好適な実施形態に記載されている通り、プログラムはデータ処理プログラムを含む。
【００１７】
本発明の更に別の特徴によると、好適な実施形態に記載されている通り、ＣＤドライブ・リーダーは、オン／オフ方法を用いて光学データを送信するために設計、構成される。
本発明の更に別の特徴によると、好適な実施形態に記載されている通り、ＣＤドライブ・リーダーは、オン／オフ・ピン上の変調されたビームを用いて光学データを送信するために設計、構成される。
【００１８】
本発明の更に別の特徴によると、好適な実施形態に記載されている通り、光通信要素は発光ダイオード（ＬＥＤ）を含む。
本発明の更に別の特徴によると、好適な実施形態に記載されている通り、光通信要素はレーザー・ダイオード（ＬＤ）を含む。
本発明の更に別の特徴によると、好適な実施形態に記載されている通り、カードは、（ｉｉｉ）演算装置に動作可能に接続される光検出要素を更に含む。
本発明の更に別の特徴によると、好適な実施形態に記載されている通り、光学情報の通信は、光通信要素を用いた外部光源からの光入力の受信を含む。
【００１９】
本発明の更に別の特徴によると、好適な実施形態に記載されている通り、光情報の通信は、光通信要素を用いた外部装置に対する光出力の転送を含む。
本発明の更に別の特徴によると、好適な実施形態に記載されている通り、光通信要素は、発光ダイオード（ＬＥＤ）及びレーザー・ダイオード（ＬＤ）からなる群から選択されるダイオードである。
本発明の更に別の特徴によると、好適な実施形態に記載されている通り、演算装置はデジタル情報を処理する。
【００２０】
本発明の更に別の特徴によると、好適な実施形態に記載されている通り、デジタル情報は、装置の操作のためのプログラムを含む。
本発明の更に別の特徴によると、好適な実施形態に記載されている通り、演算装置は、不変データ、一時データ及び再記不可能データからなる群から選択されたデータの少なくとも１種類を処理する。
本発明の更に別の特徴によると、好適な実施形態に記載されている通り、演算装置は金融、セキュリティ、認識及び個人情報からなる群から選択される情報を含んだデータの処理をする。
【００２１】
本発明の更に別の特徴によると、好適な実施形態に記載されている通り、外部光源は、動作可能にＣＤドライブに接続される。
本発明の更に別の特徴によると、好適な実施形態に記載されている通り、光学入力の受信は集中処理方法を用いて行われる。
【００２２】
本発明の更に別の特徴によると、好適な実施形態に記載されている通り、光入力の受信は調整されたビームを用いて行われる。
本発明の更に別の特徴によると、好適な実施形態に記載されている通り、光入力の受信はＯＳ発見処理を用いて行われる。
本発明の更に別の特徴によると、好適な実施形態に記載されている通り、光入力の受信は「Ｒｅｌｏａｄ Ｔｒａｃｋ」命令を用いて行われる。
本発明の更に別の特徴によると、好適な実施形態に記載されている通り、光入力の受信は「ＳＥＥＫ」命令を用いて行われる。
【００２３】
本発明の更に別の特徴によると、好適な実施形態に記載されている通り、光入力の受信はレンズが検出領域の真下を出入りするように、外部光源のレンズの位置を制御することにより行われる。
本発明の更に別の特徴によると、好適な実施形態に記載されている通り、演算装置は、ディスクに配置された光学データ蓄積領域と通信する。
本発明の更に別の特徴によると、好適な実施形態に記載されている通り、光学データ蓄積領域は、記録可能領域、読み取り可能領域、不変領域、読み取り専用領域、再記不可能領域を含む。
【００２４】
本発明の更に別の特徴によると、好適な実施形態に記載されている通り、演算装置は、オペレーション・システム命令を処理する。
本発明の更に別の特徴によると、好適な実施形態に記載されている通り、演算装置は、光学通信要素を用いて、外部装置とディスクの通信を制御する。
【００２５】
本発明の更に別の特徴によると、好適な実施形態に記載されている通り、演算装置に配置されたデータは、光源によって光学蓄積領域から受信され、該光学蓄積領域へ送信される。
本発明の更に別の特徴によると、好適な実施形態に記載されている通り、方法は、（ｃ）ディスク上のデータをエンクリプト化する段階を更に含む。
本発明の更に別の特徴によると、好適な実施形態に記載されている通り、方法は、（ｃ）データがエンクリプト化され、ディスクに配置された少なくとも１つのアルゴリズムによって前記データがエンクリプト化されることを特徴とする段階を更に含む。
【００２６】
本発明の更に別の特徴によると、好適な実施形態に記載されている通り、方法は、（ｃ）データがエンクリプト化され、データのエンクリプト化は書き込み済みのエンクリプト化ルーティンを用いて行われることを特徴とする段階を更に含む。
本発明の別の側面によると、コンパクト・ディスク（ＣＤ）のレーザーの電流を発生するための少なくとも１つの要素を有するデータ・ディスクを含む装置が提供される。
【００２７】
本発明の更に別の特徴によると、好適な実施形態に記載されている通り、ディスクは要素に動作可能に接続される演算装置を含む。
本発明の更に別の特徴によると、好適な実施形態に記載されている通り、要素は光電セル及び光起電力セルからなる群から選択された少なくとも１つのセルを含む。
【００２８】
本発明の更に別の特徴によると、好適な実施形態に記載されている通り、装置は電流の追加発電のためにソーラーセルを更に含む。
本発明の更に別の特徴によると、好適な実施形態に記載されている通り、装置は必要に応じて、電流を蓄積し、追加の電流を供給するための電池を更に含む。
【００２９】
（好適な実施形態の詳述）
添付図を参照し、例を挙げながら本発明をここに記述する。詳細な図に関して、ここに示す詳細は一例であり、本発明の好適な実施形態の例を説明するためのものである。この詳細は、本発明の原理及び概念上の特長を最も有益にかつ容易に理解することが可能な記載を提供するためのものである。この観点から、本発明の構造細部を示すのに、本発明の基本的理解に必要とされる以上の詳細な説明は行っておらず、本発明のいくつかの形態がどのように実際に具体化されるのかを当業者に明らかとなるよう図を詳述する。
【００３０】
本発明の一つの特徴は、カード型のコンパクト・ディスク（ＣＤ）或いはデジタル・ビデオ・ディスク（ＤＶＤ）と集積回路（ＩＣ）を組み合わせて使用していることである。コンビネーション・カードは更に２つ以上の光周波数を含む光とレーザーのビームを用いるコンパクト・ディスク読み取り、書き込み装置による書き込み或いは読み取り可能な光学領域を更に含む。
【００３１】
好適な実施形態において、本発明のコンビネーション・カードはまた磁気ストリップを含み、カードが磁気スワープ・カードとして機能でき、これによりこれらカードに対応する装置において従来の使用が可能となる。磁気ストリップはＩＣチップに接続されており、これにより磁気ストリップはコンビネーション・カードの入力／出力ポートとして役割を果たすことができる。このように、ＩＣチップはカード上の磁気ストリップの機能を完全に制御する。
【００３２】
装置の原理、作用及び本発明による方法は図及び添付の説明を参照すればより理解することが可能である。
本発明の少なくとも１つの実施形態を詳細に説明する前に、本発明の適用は下記の説明或いは図に示す部品の詳細な構成及び配置に限定されない。
本発明は、その他実施形態或いは様々な方法で実施或いは実行することが可能である。また、ここで用いられる表現及び専門用語は説明を目的とするものであり、限定するものではない。
【００３３】
下記の明細書及び請求項において用いられる「コンパクト・ディスク」「ＣＤ」その他の語は、ＣＤ−ＲＯＭ、ＣＤ−Ｒ、ダブルＣＤ、ダブルＣＤライターズ、ＧＤ−ＲＯＭ、ＧＤ−Ｒ、ＤＶＤ−ＲＯＭ、ＤＶＤ−Ｒ／ＲＷ、ＤＶＤ−ＲＡＭ及び同様の光学媒体を含む光学媒体を指す。
下記明細書及び請求項において用いられる「コンパクト・ディスク・ドライブ」「ＣＤドライブ」その他の語は、ＣＤ−ＲＯＭドライブ、ＣＤ−Ｒドライブ、ダブルＣＤドライブ、ダブルＣＤライターズ、ＧＤ−ＲＯＭドライブ、ＧＤ−Ｒドライブ、ＤＶＤ−ＲＯＭドライブ、ＤＶＤ−Ｒ／ＲＷドライブ、ＤＶＤ−ＲＡＭドライブ及び同様の光学ドライブを含む。
【００３４】
下記明細書及び請求項において用いられる「コンパクト・ディスク・ドライブ・リーダー」、「ＣＤドライブ・リーダー」その他の語は、（従来技術によれば）ＣＤを読み取る機能を有するが、ＣＤに書き込む機能は持たない光学ドライブを示し、ＣＤ−ＲＯＭドライブ、ダブルＣＤドライブ、ＧＤ−ＲＯＭドライブ、ＤＶＤ−ＲＯＭドライブ及び同様の光学ドライブを含む。
【００３５】
下記の明細書及び請求項において用いられる「演算装置」の語は、通常チップとして言及されている集積回路装置を指し、コンピューターの機能を果たす。
【００３６】
下記の明細書及び請求項において用いられる「光学データ領域」の語は光学的に記憶可能なデータ蓄積トラックとコヒーレント・ライト・ビームにさらされると２進法データのＯＮビットに相当する電気信号を作り出すことのできる光感受性セルをもつ領域であり、そのセルは電気信号を作り出す、あるいは反対に光ビームから対応する光入力で２進法のデータのＯＦＦビットに対応する信号のない状態をつくることができる。
【００３７】
下記の明細書及び請求項において用いられる「外部装置」の語は、独立型のディスク装置、ＣＤドライブ、ＤＶＤドライブ、磁気カード・リーディング・スロット、電気接触を備えるモジュール、及び前記装置のいずれかを内蔵するコンピューター装置を含む様々な装置を含む。
下記の明細書及び請求項において用いられる「電気接触」の語は各装置にある一致する表面間の接触によって異なる装置の電気或いは電子回路に接続した状態を指す。
【００３８】
下記の明細書及び請求項において用いられる「磁気接触」の語は、磁気場源及び変調された形式が変調された形式を受け取ることができる物体またはそのような物体に近接したために相当する磁気のエネルギーを誘発することができる物体へ近接している状態を指す。
下記の明細書及び請求項において用いられる「光電性」の語は、光にさらされると電気或いは物理的な特徴における測定可能な変化を指す任意の装置によって形成される。
【００３９】
下記の明細書及び請求項において用いられる「マルチチップ・マイクロポッド」の語は、特別に配置したチップの微小な集積の状態を指す。
下記の明細書及び請求項において用いられる「個人情報」の語は、個人のプライベート情報或いは個人のプライベートな活動を指す。このような情報は個人、その家族、その雇用主、会員制機関、金融機関、及び／又は政府機関によって主に著される。
下記の明細書及び請求項において用いられる「安全」の語は、情報が２者間で取り交わされる間及びその後において、許可されていない任意のエンティティからも保護されている状態を指す。
【００４０】
下記の明細書及び請求項において用いられる「エンクリプション」の語は、情報を含む数字及び文字が一連の文字によって表されるところの過程を指し、そこで表示される文字は不変ではなく、定義されたアルゴリズムによって変化する。
下記の明細書及び請求項において用いられる「識別子」の語は、エンティティ、情報或いは一連の文字を表す一連の文字固有の表示である。
【００４１】
下記の明細書及び請求項において用いられる「アルゴリズム」の語は、作業順序、或いは一組の数式を指し、それによりデータのキャラクター・シーケンスがコード化、サイファー化、エンクリプト化され或いは異なるフォーマット或いはキャラクター・シーケンスへ変換される。
下記の明細書及び請求項において用いられる「関係者」の語は、個人、カードを発行する企業体、認証当局、金融機関、或いは前記いずれかのコンピューター装置を指す。
【００４２】
下記の明細書及び請求項において用いられる「エンクリプション・キー」の語は、一組の情報に相当するアルゴリズム或いは文字の個別のシーケンスを指し、情報及びそのようなキーを交換する関係者によって情報を入手する独自の有効化ツールとして機能するよう、時間、大きさ、場所、書き込み或いは入手される情報のシーケンスに特有であると定義される。
下記の明細書及び請求項において使用されている「サイファリング」の語は、数形式で機密情報を表示すること及び各数字を規定の数学公式で計算することに基づく文字の代数的なコード化を指す。
【００４３】
下記の明細書及び請求項において用いられる「コード化」の語は、機密情報の各文字を少なくとも１つの先に決定した別個の文字で置き換える過程を指す。
下記の明細書及び請求項において用いられる「識別」の語は、個人のアイデンティティに固有の一組の文字がアイデンティティをもつ個人に属すると確定される過程を指す。
下記の明細書及び請求項において用いられる「有効化」の語は、データに結びつく個人のアイデンティティを含む情報が起源、出所、信頼性、証明、その他の要素の少なくとも一つに関し有効であると確認される過程を指す。
【００４４】
図を参照し、図１ａは本発明のコンビネーション・カード１００のＡ面の概略図である。カード１００はクレジット・カード等の製造技術に通常用いられるいずれかの方法により合成材料から作られるのが好ましい。カード１００は一般的には縦最大９０ｍｍ横最大６４ｍｍ、好ましくは縦約８６ｍｍ横約５４ｍｍである。
カード１００の中央には、円形の穴が配置されており、その直径は標準的なコンパクト・ディスクの内側の穴の直径１５ｍｍと一致する。
【００４５】
ＩＳＯ７８１６−２標準ターミナル１７０にはその内部にデータ接触部及びパワー接触部のグループが含まれる。ターミナル１７０はＩＣチップ１０２の連続した表面部であり、カード１００に配置され、図２ｃのＡＡ線断面図によく示されている。
また、電気蓄電セル１３０はカード１００内に配置されている。周辺光電流発電セル領域１１０は開口部１０１より上部に配置されている。磁気接触部１５０は開口部１０１より下部に配置されている。磁気接触部１５０はストリップであり、典型的に５０から２００ミクロンの厚さであり、幅は１０から４０ｍｍ、既知の磁気スワップ・カードの磁気ストリップに共通する。
【００４６】
カード所有者の名前および金融機関のアイデンティティはいずれかの表面部に技術的に既知の方法により書き込みされる。それにより蓄電セル１３０は、ＩＳＯ７８１６−２標準ターミナル１７０、開口部１０１以外の領域および磁気接触部１５０間がない領域に配置される。
図１ｂは本発明のコンビネーション・カード１００のＢ面を表す。Ｂ面の表面には、円周カーブ１１の外側に接する高くなった領域がある。高くなった領域は、一般に販売されているコンパクト・ディスク・ドライブのトレイにカード１００がきちんと設置されるように、かつ光学データ領域に構造上収容できるよう少なくとも高さ０．５ｍｍ、直径約８１ｍｍとなるのが好ましい。
環状領域１０３は開口部１０１に関し同軸にかつ外側に配置されている。そしてレーザー・パワー吸収領域１８０、環状領域１６０、光学データ領域１４０がそれぞれその外側に配置されている。光学データ領域１４０の同軸にかつ外側に配置されている領域１２０はカード１００の周辺により外部と接する。
【００４７】
レーザー・パワー吸収領域１８０は外部レーザー・データ・ビームの光エネルギーを電気蓄電セル１３０に蓄積される電流へ変換する光電セルを含む。環状領域１６０にはレーザー記録可能、レーザー読み取り可能ＲＡＭ、一般に市販されているコンパクト・ディスクと共通のＲＯＭ光学データ・トラックを含む。現在、約７３から８２メガバイトのデータをコンビネーション・カード・レーザー記録可能、レーザー読み取り可能ＲＯＭとＲＡＭ領域に記憶させることができる。
【００４８】
光学データ領域１４０はＩＣチップ・データ入力と出力を備えたセルを含む。接触部１７０の下に配置され、接触部１７０に不可欠なチップへの入力は光電セルにより行われる。光電セルは外部装置レーザーのコヒーレント・ビームにさらされると、レーザー・ビームにより伝えられることが可能な２進法の情報を含む信号を表す電気インパルス、或いは電流のバーストを発生する。チップからの出力はコヒーレント２進法信号を発生するためにチップにより変調された電流によって生み出される。それにより、光学データ領域１４０の発光電池に相当する光学２進法情報を放出させる。光学データ領域１４０の発光セルは発光ダイオード（ＬＥＤ）、マルチチップ・マイクロポッド、ＬＥＤ光学ストリップ、フレキシブル・パスＬＥＤなど複数の種類から選択することができる。これらはセラミック、反射部、平板、レンズ、２色、２色反射部、抵抗器、点滅チップを含む２つ以上のチップを含むのが好ましい。
【００４９】
光学データ領域１４０は約８１ｍｍの外形を有するのが好ましい。光学データ領域１４０に図示ように扇形であり、カード１００の表面部は十分に利用される。
領域１２０は複数の光電流発生セルを含む。Ａ面の領域１１０の光電流発生セルと共に、領域１２０の光電流発生セルは太陽光、公共及び住居建物の白熱光及び蛍光により発生した光等の周辺光が電池に当ることで電流を発生させる。
【００５０】
環状領域１０３はレーザー・パワー吸収領域１８０或いは領域１２０の予備の容量として取っておくことが好ましい。
図２ａはコンビネーション・カード１００のＣＣ線断面の概略図である。蓄電セル１３０はカード１００の内部に、カード１００のＡ面の半層１２内に設置されている。周辺光電流発生セル（ＡＬＰＧＣ）１１０はＡ面の表に配置されている。光学データ領域１４０はカード１００のＢ面に面する。
【００５１】
図２ｂはコンビネーション・カード１００のＢＢ線断面の概略図である。開口部１０１はカード１００内の中央に配置されている。周辺光電流発生セル（ＡＬＰＧＣ）１１０と磁気接触部１５０はカード１００の不可欠な部分であり、カードのＡ面に面する。領域１８０のレーザー光光電流発生セル（ＬＬＰＧＣ）と環状領域１６０の部分は開口部１０１と対称に配置され、カード１００のＢ面に面する。
【００５２】
図２ｃは、コンビネーション・カード１００のＡＡライン断面の概略図である。磁気接触部１５０、表面にターミナル１７０を有するＩＣチップ１０２、（ＡＬＰＧＣ）１１０は、カード１００のＡ面を向いている。光学データ領域１４０はＢ面に面する。
【００５３】
本発明のコンビネーション・カードの電源管理は、本発明の実施形態のエネルギー管理を説明した図３ａのブロック図を参考にすればよりよく理解できる。１８０領域にあるレーザー光光電流発生セル（ＬＬＰＧＣ）及び／又は、Ａ面の１１０領域及びＢ面の１２０領域にある周辺光光電流発生セル（ＡＬＰＧＣ）が生み出す電流は、蓄電セル１３０を絶え間なく充電する。蓄電セル１３０は、ＩＣチップ１０２に絶え間なく電源を供給し、その電源は、ＩＣチップ１０２が、光学データ領域１４０のデータ・入力／出力領域に配列された発光ダイオード１０５のうちの１つからの光データ信号出力を発生する（図１ｂ、図２ａ、図２ｃを参照）。ＩＣチップ１０２のオペレーティング・システムは、カード１００がＣＤドライブ又はＤＶＤドライブ内に存在する間、カード１００を認識し、外部装置のレーザー・アイドル時間を決定することによって電源管理を行う。外部装置には、ＩＣチップ１０２から、図１ｂの領域１８０にあるレーザー光光電流発生セルにレーザー・ビームを向けるように、命令が出されている。
【００５４】
本発明のコンビネーション・カードのデータ管理全般は、本発明の実施形態のデータ管理を説明した図３ｂのブロック図を参考にすればよりよく理解できる。ブロック２００、３００及び４００は外部装置を表している。上記詳述されたブロック１４０、１５０、１６０及び１７０はチップ１０２と外部装置２００、３００及び４００が通信するためのインターフェース・ポートとして機能する。境界線１９０で囲まれたブロックは、以下で詳述される本発明の実施形態であるインターネット認識装置の「パッシブ・カード」を構成する。
【００５５】
外部装置は、チップ１０２に絶対不可欠であるＲＡＭ、ＲＯＭ及びＥＰＲＯＭ領域とデータを通信する能力を備えており、外部装置２００とカード１００のターミナル１７０が接触することによって可能となる。外部装置２００のターミナルとカードのターミナル１７０が接触する時、それらは接続され、カードチップ１０２と直接関係のある全てのデータを、チップ１０２内のＲＡＭ、ＲＯＭ及びＥＰＲＯＭと、双方向で通信を行うことが可能となる。外部装置２００の典型的な例としては、クレジット・カード業者、電話装置及び自動処理機のコンピューター装置が挙げられる。
外部装置の別のタイプとしては、コンパクト・ディスク・ドライブ（ＣＤＤ）やデジタル・ビデオ・ディスク（ＤＶＤ）３００が挙げられ、好ましくはコンピューター装置に接続されている。コンパクト・ディスク・ドライブ（ＣＤＤ）３００は、本発明のコンビネーション・カード１００が、光学データ通信によって通信する事を可能にする。レーザー・ライティング・コンパクト・ディスク・ドライブは、これらの方法の中の１つである。そのような装置のコヒーレント・ビーム・レーザーは、カード１００のレーザー読み取り／書き込みＲＯＭ及びＲＡＭ領域１６０に対して読み取り／書き込みができる。
カードチップ１０２に対するオペレーション・システムの命令は、ＣＤＤ又はＤＶＤ３００との更なるデータ通信が、カードチップ１０２とデータ交換することを可能にする。外部装置のレンズに、チップ１０２と接続されている光学データ領域１４０の入力／出力領域を読み取り及び書き込みするよう指示することによって可能となる。
【００５６】
光学データ領域１４０によるデータ放射に必要とされるエネルギーは、蓄電セル１３０によって提供される。同様に、データがチップ１０２と通信されるべき時、チップ１０２上のオペレーション・システムの命令は、ＣＤＤ又はＤＶＤ３００に、その書き込みレーザーを領域１４０の上に持っていくよう指示する。それによって、光学データ領域１４０のデータ・入力（光吸収）セルに、データを送り、その後、チップ１０２は要求されたように受け取ったデータを処理する。
外部装置は、また磁気読み取り／書き込み装置４００を含むこともできる。このタイプの装置は、銀行の自動処理機、クレジット・カード・リーダー及びセキュリティ・アクセス装置でよく見られる。
本発明の１つの側面によると、カード１００は磁気読み取り／書き込み機４００に挿入され、磁気読み取り／書き込み機４００と接続されている装置又はシステム・ネットワークと通信する。
カード１００がセキュリティ・パス、カード１００ポートフォリオの中のクレジット・カードの１つ、又は、自動処理機のカードとして使われた場合、磁気読み取り／書き込み領域１５０を介してカード１００に対して通信された全てのデータは、カードチップ１０２によって利用され、更に処理される。そして、直接関係のある情報は、磁気読み取り／書き込み領域１５０を介して外部装置の磁気読み取り／書き込み装置４００に逆方向にデータ通信される。
【００５７】
チップ１０２は、集積回路構成を含み、その回路はさらに、中央演算処理装置（ＣＰＵ）、ＥＰＲＯＭ、ＲＯＭ及びＲＡＭに対応する領域を含む。ＥＰＲＯＭ及びＲＡＭ領域は、ＣＤ又はＤＶＤ光学データ交換、光放射と吸収を介する交換及び磁気読み込み領域のような、Ｉ／Ｏ（入力／出力）処理を司るオペレーション・システムの指令を蓄積することができる。これらの領域は、また、セキュリティ・プロトコルを支配、エンクリプト化、認証、スケジュール及び照合データのようなセキュリティ・データを蓄積することができる。チップ１０２のこれらの領域は、また、レーザー記録が可能な領域の光学データの配置を記憶することができる。チップ１０２は、国際標準化団体の標準７８１６−２と同じであることが好ましい。
ＩＣチップ１０２は、ＩＳＯ−７８１６−２と同じ種類の、電気接触面を有する。カード１００が、そのような接触領域を受け入れ、接続するよう設計された外部装置に挿入されたとき、接触領域は、コンビネーション・カードに、データ・入力／出力の接続同様、電力の接続を供給する。その接続を介して、ＩＣチップ１０２、ランダム・アクセス・メモリ（ＲＡＭ）、リード・オンリー・メモリ（ＲＯＭ）、電気的にプログラマブル・リード・オンリー・メモリ（ＥＰＲＯＭ）のデータは、外部装置と通信する。
【００５８】
カード１００のＩＣチップ１０２は、また、光学データ領域１４０内の光放射装置と接続されている。その光放射装置は、チップ１０２のための、代替的なデータ出力ポートとして機能する。ＩＣチップ１０２へのデータ入力は、データ入力ポートとして機能するセンサーを含む光吸収領域によって達成される。
【００５９】
カード１００を外部装置内で使用している間、ＩＣチップ１０２に蓄積されているデータが、外部装置によってアクセスされることが必要である。この状況では、ＩＣチップ１０２の操作指示は、要求された操作に応じて、外部装置の光学読み取り又は書き込みレンズに、ＬＥＤの真上に位置するよう命令を与える。そして、本発明のカード・コンビネーションとデータを交換する。本発明のこの特徴は、外部装置の相互作用の能力をさらに高める。
【００６０】
本発明のカード１００は、多種の電力供給源の少なくとも１つから電力供給される。カード１００のＢ面の４つの角の表面と光学データ領域１４０は、ＩＣチップ１０２に直接電力を供給する蓄電セル１３０に接続されているソーラーセルを含む。コンビネーション・カードは、また、光学データ領域に、光学データ領域に対して同心円状に位置している帯状の光電セルによって電力供給される。本発明のコンビネーション・カードがコンパクト・ディスク・リーダー内で使用されている間、コンビネーション・カードの光学データ領域内に含まれる命令の１つが、コンパクト・ディスク・ドライブ・レーザーに、光電流発生セルの帯の上に位置するよう指示する。この命令は、レーザーが休止状態の時はいつでも（例えば、レーザーが読み取り、書き込みの命令を受けていない時）行われる。それにより、レーザー・ビームのエネルギーを、電気エネルギーに変換する。好ましい実施の形態としては、エネルギー蓄電セル１３０は、電池であり、チップ１０２に電力を提供し、通常の使用で少なくとも１年間はチップ１０２に電力を供給することができる。
【００６１】
上記したように、周辺光電流発生セル領域１１０はカード１００のＡ面に位置し、Ｂ面の領域１２０は付加的な光電流発生セルを含む。好ましい実施形態としては、これら光電子領域はカード１００内の厚さの薄い蓄電セルに接続されている。本発明のこの発電と蓄電の有利な点は、コンパクト・ディスク・ドライブ内で、コンビネーション・カードが利用されており、光源が利用できない場合、周辺光が存在するのであれば、いかなる状況でもコンビネーション・カードの電源要求が、実質上、いつでも満たされる事である。
このように、搭載ＩＣチップを有する上記発明のコンビネーション・カードは、次の特徴を可能にする。・拡張可能なオーナー・セキュリティ・パス・カード；・拡張可能なオーナー・クレジット・カード；・拡張可能なオーナー銀行口座、投資口座、保険口座、デビット口座、買い物口座及び厳しい制限があるメンバーシップ；・拡張可能なオーナー・セキュリティ・コード、パスワード、セキュリティ・キーやその他の認証を必要とするポートフォリオ及び金融情報や他のコンビネーション・カードのオーナーの私的なデータを守っている情報セキュリティ・プログラム；・上記特徴が、個別にアクセスされ、管理され、構築され、改変される、外部コンピューター装置のためのアプリケーションとして言及される一連のプログラム；・コンパクト・ディスクと光学的に読み取り可能なＲＯＭ及びＲＡＭ情報を組み合わせた特徴。
本発明のカードに蓄えられたデータが、オーナーに、情報と処理セキュリティ、パスワード、セキュリティ・キー、エンクリプト及びその他のセキュリティ・オペレーション・データのコントロールを提供する。これらは、オーナーとその他の機関や人間との間の、めざましく改善された通信と処理安全のために求められ、上記のコンパクト・ディスクとＲＯＭ及びＲＡＭ領域の組み合わせは、同じコンパクト・ディスクに含まれる音楽情報のあらゆるコピーも防止する。
【００６２】
本発明の付加的な側面は、インターネット認証装置である。この装置は、「アクティブ・カード」と「パッシブ・カード」の側面を有する。「パッシブ・カード」は、コンビネーション・カードの光学的に読み取り可能なＲＯＭ及びＲＡＭ領域に、以下のものを含む。１．エンクリプション管理プログラム；２．カード所有者のための、個人的なエンコーディング・アルゴリズム；３．暗号受け取り手のためのデーコーディング・アルゴリズム；アルゴリズムとエンクリプション・キーは、商業的に利用可能なタイプから選ばれるか、カード発行機関により顧客別に作成される。
【００６３】
本発明の別の実施の形態として、ＣＤのような光学カードであり、ＣＤドライブから操作されるものがある。光学カードの形は特に限定されない。図４は、光学カード５００のデザインの１つの概略図を例として示したものである。それは普通の反射層５２２を持っているＣＤ−Ｒである低層５２０とカバー・プレート５２４を含む。カバー・プレート５２４に位置しているのは回路基板５２６、チップ５２８及び電池５３０である。ダイオード（ＬＤ又はＬＥＤ）５３２は、低層５２０と接続されている。光学カード５００は従来通りの中心が円状の開口部５３３を有する。
【００６４】
必須のデータは、低層５２０に焼き込まれている。このデータは、発明のピット・フォーマットであり、光がＣＤ媒体を通じて伝達された時得られる分極効果を克服するのに必要とされるものだ。データがＣＤ媒体（低層５２０）に焼き込まれた後、反射層５２２は取り除かれ、光学要素の下に窓を作りながら、完全に透明な媒体が得られる。結果として、ダイオード５３２は、低層５２０に接着され、反射層５２２は元通りになる。接着手順は従来の方法であると強調されるに違いなく、結果として、ＤＶＤ接着ステーションにおいて満たされる接着手順と同じものである。同様の手順は、シリコン検出器５３４を低層５２０につける際に使われている。
本発明の別の実施の形態として、ダイオード５３２及び／又は検出器５３４は、反射層５２２が元通りにされる必要がないように反射材として機能するよう設計される。
カバー・プレート５２４は、ＣＤと同じフォーマット（直径１２０ｍｍ、プレートの真ん中が１５ｍｍ円状に開口している等）を有する円状のプラスティック・プレートである。カバー・プレート５２４の厚さは、約０．９ｍｍである。カバー・プレート５２４には、回路基板５２６、チップ５２８及び電池５３０を収納するよう、複数の穴と窪みが施される。最後に、カバー・プレート５２４は、反射層５２２に接着、加圧され、厚さ約０．９〜２．１ｍｍの光学カード５００が出来上がる。
ピット５３６の設計は、ピットの長さや隣り合うピット間の距離の観点から言えば、標準的なピットの設計とは異なる。
【００６５】
このシステムの特徴は、以下を含むことである。
ａ）ＣＤやＣＤ−Ｒの電子部品や回路の含有、
ｂ）ダイオード５３２と検出器５３４の下に配置されたウィンドウの下のピットの配列。
好ましくは、低層５２０はＤＶＤ又はＤＶＤ−Ｒ層であり、ＣＤマスターリング・フォーマット又は、ＤＶＤマスターリング・フォーマットで作られる。このＣＤ技術とＤＶＤプラットフォームの融合において、実質的により薄い装置が得られる。全体の厚さは、１．２５ｍｍ未満であり、０．１ｍｍにまで薄くすることが可能である。
【００６６】
好ましい実施の形態としては、図５に示されるように、電池５３０は実質上、ディスク５００の真ん中の円状の開口に対して、環状で同心円状にあり、ディスク５００の重さは、良く分散されており、ディスク５００が回転したときのバランスは改善されている。回路基板５４０は電池５３０に接続されている。
【００６７】
（ドライブから媒体への情報転送）
ドライブから媒体への情報の転送には本発明に係る２つの基本的な方法がある。
ａ）「オン／オフ」法
ｂ）「集中処理」法。
変調ビームが使われる第三の方法もまた可能であることは強調されるべきである。この方法は、主として、本来変調ビームが備わっているＣＤ書き込み装置に適している。しかしながら、変調ビームがオン／オフ・ピンを照射することができるＩＣを備えている一般のＣＤドライブを作ることも可能である。
【００６８】
「オン／オフ」法
「オフ」命令を使わなければ、ドライブを毎回「０」位置に持っていく問題を避けることができる。発明の方法では、「Ａｃｔｉｖａｔｅ Ｒｅａｄｉｎｇ」及び「Ｒｅｌｏａｄ Ｔｒａｃｋ」という指令をすることによって、オン／オフ効果が得られる、例えば、「ＡＴＡＰＩ」プロトコルの「Ａｃｔｉｖａｔｅ Ｒｅａｄｉｎｇ」及び「Ｒｅｌｏａｄ Ｔｒａｃｋ」という指令である。
ＡＴＡＰＩ命令の「Ａｃｔｉｖａｔｅ Ｒｅａｄｉｎｇ」という記述は次の通りである。
2004517397.tif 000003
ＡＴＡＰＩ命令の「Ｒｅｌｏａｄ Ｔｒａｃｋ」という記述は次の通りである。
2004517397.tif 000004
ＳＣＳＩプロトコルを使えば、同じアプローチが用いられる、しかし、関連した対応する一連の命令を用いることによってである。
【００６９】
ここで用いられるように、「ＯＳ発見」の用語は、トレイが閉じる時、ドライブが行う一連の自動化された段階に言及するものである。この連続した段階は特に以下のものを含む。
１．媒体が存在するかどうか確認する、
２．媒体のデータ・フォーマットがサポートされているものかどうか確認する、
３．媒体がオートランするようになっているかどうか確認する、
４．媒体がオートランする場合、規定の時間（例えば、５秒）が経過すると、ドライブのスイッチをオフにする。
【００７０】
オン／オフ方法の手順は以下の通りである。
１  媒体を挿入した状態で、ＬＤ（レーザー・ダイオード）の通常状態はオフである。
２  ＯＳ発見後、ドライブは自由となり、目的である制御は可能となる。
３  「Ａｃｔｉｖｅ Ｒｅａｄｉｎｇ」命令はＬＤをオンにする。
４  「Ｒｅｌｏａｄ Ｔｒａｃｋ」命令により、ＬＤはオン／オフ状態が切り替わる。
【００７１】
本願発明の典型的な例において、３ビットシーケンス「１０１」は「０」に等しく、「０１０」は「１」に等しい。
【００７２】
図６に示すように、「Ｒｅｌｏａｄ Ｔｒａｃｋ」命令は、任意のパルス若しくは特定の時間に従って、ＬＤのオン／オフを切り換える。従来技術において、「Ｒｅｌｏａｄ Ｔｒａｃｋ」命令は他のもう一つの命令に追従し、切り換え動作を繰り返す。しかしながら、本発明において、「０」の信号を伴う「１」の信号を発信するためには、単独の「Ｒｅｌｏａｄ Ｔｒａｃｋ」命令で十分である。「Ａｃｔｉｖｅ Ｒｅａｄｉｎｇ」命令はダイオードを「オン」の状態にし、「１」の信号を提供する。
【００７３】
図７ａには、例として、バイナリー信号「００００１１１１」に対する命令群が示されている。図７ａにおいて、以下の略字若しくは記号が用いられている。
ＲＬ？  「Ｒｅｌｏａｄ Ｔｒａｃｋ」
ＡＲ？  「Ａｃｔｉｖｅ Ｒｅａｄｉｎｇ」
Ｔ？    ビット間の時間
ｔ？    命令間の時間
【００７４】
以下に続く明細書、請求の範囲で用いられているように、「オン／オフ方法」という用語は、「１」と「０」の信号を得るための様々な方法やその方法の組み合せに属する。そして、光学情報が送信され、またドライブ・ヘッドを「０」点に持っていくことなしに、少なくともいくつかの、好ましくは全ての「０」信号が得られる。
【００７５】
（「集中処理」方法）
第２の革新的方法は、「同調変換」の方法である。この方法において、レンズソレノイドは検出領域の真下を出入りするように命令を受ける。レーザー・ヘッドのレンズが検出器の下方にあるとき、「１」の信号を伴う強い信号が得られる。レーザー・ヘッドが検出領域の外側に移動するとき、信号は、ある閾値以下に落ち、「０」信号を得る。
以下に用いられるように、「必要な集中領域」とは、検出領域のアドレスの領域に属するものである。
以下に続く明細書や請求の範囲で用いられるように、「媒体」という用語は、ディスクやマイクロプロセッサーを含む光学スマート・カードやコンビネーション・カードを指す。
【００７６】
「集中処理」方法の手順は以下の通りである。
１  媒体が挿入されるとすぐに、ＬＤの通常状態は「オフ」である。
２  「ＯＳ発見」の後、ドライブは自由になり、制御可能となる。
３  ドライブにアクセスし、ドライブを起動させる（ここで、ＬＤは「オン」状態である）。
４  現状のヘッドの同調を変更し（「ＳＥＥＫ」命令を用いて）、ソレノイドはレンズを「必要な集中領域」の下に移動させ、「１」の値を得る。
５  現状のヘッドの同調を変更し（「ＳＥＥＫ」命令を用いて）、ソレノイドはレンズを「必要な集中領域」の境界の外に移動させ、「０」の値を得る。
【００７７】
「ＳＥＥＫ」のためのＡＴＡＰＩ命令の記述は以下の通りである。
2004517397.tif 000005
【００７８】
図７ｂには、例として、バイナリー信号「００００１１１１」に対する命令群が示されている。図７ｂにおいて、以下の略字若しくは記号が用いられている。
ＩＦ？  「Ｉｎ Ｆｏｃｕｓ」（「１」）、全ての必要なドライブに対する命令を含む。
ＯＦ？  「Ｏｕｔ ｏｆ Ｆｏｃｕｓ」（「０」）、全ての必要なドライブに対する命令を含む。
Ｔ？    ビット間の時間
ｔ？    命令間の時間
【００７９】
（ラディアル・トラッキングと検出器の下での信号）
好ましくは、下層５２０は透明若しくは半透明である。他のもう一つの好ましい例では、下層５２０は、用いられる波長によって変化する透明度を有するものである。いずれにしても、透明度は以下に記載の手順を可能にするのに十分な光を透過させるようなものである。
【００８０】
光検索領域下で信号を得るための装置や方法は図８ａで図式的に示されている。半透明層５２０は送信されたレーザー・ビーム（Ｔｘ）の一部（Ｒｘ１）を透過させ、その送信されたレーザー・ビーム（Ｒｘ１）は媒体上の検出器５３４に至る。送信されたレーザー・ビームのその他の部分（Ｒｘ２）は反射され、ＣＤドライブの通常動作を可能にする。
【００８１】
図８ｂに図式的に示されるように、同様にして、情報は、ＬＥＤの下にある媒体から戻される。しかし、ピットの同期中においては、送信機はオフ状態でなければならない。
【００８２】
ピットの同期の正確な時間は、オン／オフの切り替えの特定の時間を記憶し、「ｔ」のような様々な命令に対する数式に、該計測された時間を組み込む適応可能なアルゴリズムによって表現される。
【００８３】
上記のことについての実験的検証は、以下のようにして行われた。
ＩＲ−ＬＥＤ（Ｉｎｆｒａ Ｒｅｄ Ｌｉｇｈｔ Ｅｍｉｔｔｉｎｇ Ｄｉｏｄｅ）が半透明の媒体上に設置された。このＬＥＤは、６００〜１１００ｎｍの波長を有し、発信機として動作する。「ＰＩＣ‘ｓ  １６Ｆ８４」型のチップ（Ｍｉｃｒｏｃｈｉｐ Ｌｔｄ製）が媒体上に設置された。媒体上に設置される第３の部品はＰＮシリコン発光ダイオード（ＵＤＴ製）であった。設置された他の部品は回路基盤と電池であった。
【００８４】
媒体からドライブへの情報の送信を検証するために、媒体はＬＥＤへの信号を提供する信号発生器に繋がれた。ＬＥＤは信号受信に伴って、点滅した。ＣＤ−ＲＯＭドライブ上のレーザー・ヘッドはオシロスコープに繋がれ、オシロスコープは受信した信号を表すグラフを示した。オシロスコープ上に現れた信号は、信号発生器により正確に提供された信号を示した。
【００８５】
媒体からドライブへの情報の送信は以下のように証明された。
信号発生器に繋がれたＣＤ−ＲＯＭドライブとともに、ドライバー・ヘッドのレーザー・ダイオードは受信した信号に伴って点滅した。媒体上に設置されたＰＮシリコン発光ダイオードは、オシロスコープに繋がれた。該ＰＮシリコン発光ダイオードは、ドライバー・ヘッドのレーザー・ダイオードからの信号を受信し、オシロスコープ上に現れた信号は、レー
ザー・ダイオードからの信号を現していた。
【００８６】
（アプリケーション）
この技術と両立可能なようにプログラムされたソフトウェアの必要な手続は、ソフトウェアＣＤ上に挿入されたプロセッサーとの通信を照合することである。
ユーザがソフトウェアを使用するとき、ソフトウェア・クライアントはＣＤ上の光学カード・プロセッサーに検索要求をし、ユーザ識別を要求する。プロセッサーはソフトウェアを識別し、それからのみソフトウェアを起動させる。この手続きがうまくいった場合、このような手続きが行われていることを知らないユーザであったとしても、その手続は順調に行われる。ユーザが不正複製によって得たソフトウェアを動かそうとすると、クライアントの検索要求は応答されず（不正複製品は光学カード・プロセッサーを有さないので）、ソフトウェア識別手続は、ユーザに正規のソフトウェアの複製品をインストールすることを要求するとともに、終了する。上記記載の手続は、予め指定した手続であるか、不規則に指定した手続であるかによって、ユーザの使用開始時に行うことも出来るし、ソフトウェア使用中いつでも行うことも出来る。この識別は、擬似乱数や当業者が知る他の方法で処理されてもよい。
【００８７】
上記全ての記載から、ここに記載される革新的技術が、ゲーム、ソフトウェア、文学、音楽などの知的財産を含むアプリケーションの中央管理に適していることは明らかである。
【００８８】
加えて、ここで示す該革新的技術の典型的な応用例は、Ｃｏｏｋｉｅ技術に関するものである。Ｃｏｏｋｉｅ技術は、アプリケーションがユーザのコンピューターに情報をインストールすることを可能にする技術である。例えば、一人のユーザが、ウェブサイトを訪れたとき、そのサイトは特定の情報を持つＣｏｏｋｉｅをインストールするかもしれない。そして、そのコンピューターは、その後の複数回の訪問の間に、そのサイトによって識別されるはずである。ＣｏｏｋｉｅがＰＣ上にある場合、もし同一のユーザが、２つの異なるコンピューターからＣｏｏｋｉｅベースのサービスに接続しようとするならば、これは許容されないだろう。
本発明によれば、Ｃｏｏｋｉｅ情報は光学カードにダウンロードされ、そして／または、アップロードされる。この技術は、個人履歴が蓄積されているいくつかのＰＣから同一の人物が操作するときに、個人のオンライン・データベースへの自在なアクセスを含むアプリケーションを可能にする。
【００８９】
（実施例）
以下に実施例を記載する。該実施例は、本発明の限定的ではない実施形態を示すものである。
【００９０】
本発明による典型的な処理において、一般的なデスクトップコンピュータを用いて、カード所有者が自己の銀行の預金残高を確認しようとしたり、クレジット会社の請求書に支払いをしたり、投資先の一つに予定外の送金をすることを望んでいるとする。
カード所有者は、所有する本発明に係るコンビネーション・カード１００を職場にある個人のコンピューター（ＰＣ）のコンパクト・ディスク・ドライブに挿入する。全ての記録可能なＣＤやＤＶＤＲＯＭ領域と共通する、カード１００のレーザー記録可能領域１６０は、通常の起動情報と、通常の全ての記録可能なＣＤやＤＶＤＲＯＭの必要な起動データを含み、領域１６０からの該データは、ＣＤ若しくはＤＶＤドライブ・レンズによって、その後読み取られる。このデータは、音楽のＣＤ−ＲＯＭ、ＤＶＤやＣＤ−ＲＯＭディスクによるソフトウェアインストールのようなものではなく、スクリーン画面上で、コンピュータドライブＤの「Ｊｏｈｎ Ｓｍｉｔｈ’ｓ Ｐｅｒｓｏｎａｌ Ｇｅｎｉｕｓ Ｍａｎａｇｅｒ」として、所有者のカードを明確に識別する。
【００９１】
更に、ドライブＤディスプレイ・アイコンを押すと、ＣＤ−ＲＯＭの領域１６０からのデータが表示され、識別処理が開始される。コンピューター・ダイアログ・ボックスが開き、カード所有者にパスワードを入力させるようにする。Ｅｎｔｅｒキーを押すと、ＰＣのＣＰＵにアップロードされたカードのＣＤ若しくはＤＶＤ−ＲＯＭデータは、ＰＣからカードに向けて、必要な識別情報（カード所有者のパスワード、カード所有者コード、他のセキュリティツールを含む）を備えるように命令する。カードのアクセス制御情報はＣＤやＤＶＤ−ＲＯＭ及びチップ１０２のＲＯＭ、ＲＡＭ、ＥＰＲＯＭ領域にも蓄積される。しかしながら、カードがコンピューターのＣＤ或いはＤＶＤドライブ内にあるとき、チップ１０２はターミナル１７０の電気接触にアクセスしない。チップ１０２のＲＯＭ、ＲＡＭ及びＥＰＲＯＭ領域への代わりのアクセスは、光学データ領域１４０の入力・出力領域を通じて、可能とされる。領域１６０から読み込まれた起動操作命令の結果として、レンズ・ビームを読み取るコンピューターのＣＤ若しくはＤＶＤドライブは、カード１００上の特定の領域を読み取るように命令する。該領域は、実際には、光学データ領域１４０である。この領域に配置されたデータの放射・吸収セルは、チップ１０２の入力・出力光学インターフェースとなる。コンピューターからいずれかの光学データ領域１４０を通じて、検索要求データを受信すると、チップ１０２はアクセスの照合手続の開始を必要としていることを認識する。ユーザにより入力されたパスワードは、チップ１０２のＥＰＲＯＭ領域及びレーザー記録可能領域１６０に蓄積されたカードの接続パスワードの内容と比較される。カードユーザが更にコード入力、最新のカード接続日を入力、或いはユーザによる任意の事前に設定された追加の照合基準を入力し、ユーザからの入力データを受信したときにも、同じ比較手続が繰り返される。
【００９２】
該照合作業が済むと、ＰＣ作業ソフトウェアの全一式がチップ１０２によって選択され、領域１６０からコンピューターにアップロードされる。その後、コンピューター画面は選択メニューを表示する。メニューは、銀行口座の確認、投資の確認、Ｅ−ｍａｉｌに接続、インターネットに接続、オンラインショッピング及びセキュリティ管理を含むものであってもよい。ここで、Ｊｏｈｎ Ｓｍｉｔｈ、即ちカード所有者兼使用者は、銀行と投資取引を希望しているので、銀行口座の確認をクリック若しくは押す。この選択により、使用者の銀行機関の一覧に移る。特定の機関を選択すると、ホストコンピューターはインターネット接続アプリケーションを起動し、指定された機関のウェブサイトに接続し、或いはダイレクト・オンライン接続チャンネルに接続する。また、ホストコンピューターは、該機関のセキュリティ検索要求システムに、ユーザの口座に対する正確なアクセス照合データを提供し、必要な承認ボックスを表示し、銀行機関との通信を設定する。更に、ホストコンピューターは、ユーザの金融情報の典型的なメニューを表示する。
【００９３】
ユーザがオンライン上での作業をしている間、及びカード１００から何もデータがアクセスされていない間、チップ１０２は更に、停止時間を認識する。またチップ１０２は、カード１００からの次のデータ要求があるまで、更なる読み取りに対する命令無しに、光学データ領域１４０にある任意のチップデータの光学アウトプット・セルを通じて、コンピューターのＣＤ或いはＤＶＤドライブ・レンズが領域１８０の上に位置するように命令を送る。レーザー・ビームが領域１８０の上に位置すると、領域１８０上の光電発生セルにレーザーが照射され、その後、蓄電セル１３０に電力が生ずる。
カードユーザが各照合を済まし、カードユーザの給与振込口座からの電子送金を行い、口座の残高とカードに記録された残高とが一致した後、ユーザは個人投資プルダウンメニューバーをクリックし、彼の投資のポートフォリオリストから投資機関の特定の相互口座を選択する。該コンピューターでの作業の裏側では、チップ１０２からの適切な命令により、任意の必要なアプリケーションが開かれる。それゆえ、ウェブアクセスとデータとのセキュリティ手続きは、領域１４０、１６０及びチップ１０２のＲＡＭ、ＲＯＭおよびＥＰＲＯＭ領域からもたらされる。その後、ユーザは一連の投資先を特定し、ゴールド・トラスト・ミディアム・リスクを選択し、更には、金額或いは株数を指定する。そして、ユーザはその取引を承認する。金融取引が終了すると、ユーザは表示されたメニューから作業終了を選択し、該作業を終了させる。ソフトウェアは全てのアプリケーションの終了を承認し、ユーザにカード１００をコンピューターのＣＤ或いはＤＶＤドライブから引き抜くようにさせる。
【００９４】
本発明は特定の実施例とともに示されたけれども、当業者にとって多くの代替、改良そして変更形態があることは明らかである。ここに記載される革新的技術は、ゲーム、ソフトウェア、文学や音楽などの知的財産を含むアプリケーションの中央管理に適しているということを強調しなければならない。したがって、本発明は、添付の請求項の本質及びそれを拡大した部分に包含される全ての代替例、改良例および変更例を包括するものである。あたかも、個々の文献、特許、特許出願のそれぞれが、記載事項と同程度に、個々別々に参照によって、この明細書中に組み込まれ、開示されているかのように、この明細書に記載された全ての文献、特許、特許出願はこの明細書での参照により全体が組み込まれている。加えて、本願出願書類中で参照された引用文献やそれと同一のものは、本願発明以前にそのような引用が利用可能であることの証拠と解釈すべきでない。
【図面の簡単な説明】
【図１ａ】
本発明のコンビネーション・カードのＡ面を表す概略図である。
【図１ｂ】
本発明のコンビネーション・カードのＢ面を表す概略図である。
【図２Ａ】
本発明のカードのＡＡ−ＡＡ線断面図を表す概略図である。
【図２Ｂ】
本発明のカードのＢＢ−ＢＢ線断面図を表す概略図である。
【図２Ｃ】
本発明のカードのＣＣ−ＣＣ線断面図を表す概略図である。
【図３Ａ】
本発明の１つの実施形態の電源管理を説明するブロック図である。
【図３Ｂ】
本発明の１つの実施形態のデータ管理を説明するブロック図である。
【図４】
本発明のＣＤに似た光学カードの概略図である。
【図５】
搭載型電池が環状となりカード中央開口部と同心である本発明のＣＤに似た光学カードの概略図である。
【図６】
「Ｒｅｌｏａｄ Ｔｒａｃｋ」命令を使用した、時間に対する光の波動を示すグラフである。
【図７ａ】
ＣＤドライブから媒体へ情報を転送する「オン／オフ」方法を使用した、「００００１１１１」の２進法シグナルの典型的な一連の命令を示す。
【図７ｂ】
ＣＤドライブから媒体へ情報を転送する「集中処理」方法を使用した、「００００１１１１」の２進法シグナルの典型的な一連の命令を示す。
【図８ａ】
発信されたレーザー・ビームの一部を通すための半透明のアルミ箔を持つ光媒体の概略図である。
【図８ｂ】
図８ａの光媒体の概略図であり、それにより情報を光学的にＣＤドライブへ再転送する。
【図１ａ】
2004517397.tif 000006
【図１ｂ】
2004517397.tif 000007
【図２Ａ】
2004517397.tif 000008
【図２Ｂ】
2004517397.tif 000009
【図２Ｃ】
2004517397.tif 000010
【図３Ａ】
2004517397.tif 000011
【図３Ｂ】
2004517397.tif 000012
【図６】
2004517397.tif 000013
【国際公開パンフレット】
2004517397.tif 000014
2004517397.tif 000015
2004517397.tif 000016
2004517397.tif 000017
2004517397.tif 000018
2004517397.tif 000019
2004517397.tif 000020
2004517397.tif 000021
2004517397.tif 000022
2004517397.tif 000023
2004517397.tif 000024
2004517397.tif 000025
2004517397.tif 000026
2004517397.tif 000027
2004517397.tif 000028
2004517397.tif 000029
2004517397.tif 000030
2004517397.tif 000031
2004517397.tif 000032
2004517397.tif 000033
2004517397.tif 000034
2004517397.tif 000035
2004517397.tif 000036
2004517397.tif 000037
2004517397.tif 000038
2004517397.tif 000039
2004517397.tif 000040
2004517397.tif 000041
2004517397.tif 000042
2004517397.tif 000043
2004517397.tif 000044
2004517397.tif 000045
2004517397.tif 000046
2004517397.tif 000047
2004517397.tif 000048
2004517397.tif 000049
2004517397.tif 000050
2004517397.tif 000051
2004517397.tif 000052
2004517397.tif 000053
【国際公開パンフレット（コレクトバージョン）】
2004517397.tif 000054
【手続補正書】
【提出日】平成14年8月27日(2002.8.27)
【手続補正１】
【補正対象書類名】明細書
【補正対象項目名】特許請求の範囲
【補正方法】変更
【補正の内容】
【特許請求の範囲】
【請求項１】
演算装置を有するハウジング、外部装置から前記データカードへの信号を検出するために前記演算装置に動作可能に接続される検出器、前記データカードと前記装置との間で光学情報を転送するための、前記演算装置に動作可能に接続される光通信要素、及び
基板を通して前記光通信要素と前記装置の間及び前記検出器と前記装置の間の光通信を可能とするための少なくとも半透明領域を有する、前記ハウジングに取り付けられる前記基板、
を含むデータカードからなる光通信システム。
【請求項２】
前記基板が前記外部装置からの光学信号を反射するための反射層を含むことを特徴とする請求項１の光通信システム。
【請求項３】
前記反射層が、前記光通信要素と前記装置との間の前記光通信を可能とするために少なくとも１つのウィンドウを有することを特徴とする請求項２の光通信システム。
【請求項４】
前記反射層が、前記検出器と前記装置との間の前記光通信を可能とするために少なくとも１つのウィンドウを有することを特徴とする請求項２の光通信システム。
【請求項５】
前記ハウジングがエネルギーを前記演算装置へ供給するためにエネルギー蓄積セルを更に含む請求項１の光通信システム。
【請求項６】
前記基板がコンパクト・ディスク（ＣＤ）を含む請求項１の光通信システム。
【請求項７】
前記基板が普通のコンパクト・ディスク（ＣＤ）を含む請求項１の光通信システム。
【請求項８】
前記光通信要素と前記装置の間の前記光通信を可能にする、前記ＣＤの反射層を通過する、少なくとも１つのウィンドウを更に含む請求項６の光通信システム。
【請求項９】
前記検出器と前記装置の間の前記光通信を可能にする、前記ＣＤの反射層を通過する、少なくとも１つのウィンドウを更に含む請求項６の光通信システム。
【請求項１０】
前記ＣＤがＣＤ−ＲＯＭであることを特徴とする請求項６の光通信システム。
【請求項１１】
前記ＣＤがデジタル多用途ディスク（ＤＶＤ）であることを特徴とする請求項６の光通信システム。
【請求項１２】
前記ＣＤが書き込み可能コンパクト・ディスク（ＣＤ−Ｒ）であることを特徴とする請求項６の光通信システム。
【請求項１３】
前記ＣＤが再書き込み可能コンパクト・ディスクであることを特徴とする請求項６の光通信システム。
【請求項１４】
前記ＤＶＤが書き込み可能ＤＶＤであることを特徴とする請求項１３の光通信システム。
【請求項１５】
前記ＤＶＤが再書き込み可能ＤＶＤであることを特徴とする請求項１３の光通信システム。
【請求項１６】
前記カードの物理的大きさがクレジット・カードと相似していることを特徴とする請求項１の光通信システム。
【請求項１７】
前記基板がコンパクト・ディスク（ＣＤ）を含むことを特徴とする請求項１６の光通信システム。
【請求項１８】
前記ＣＤがＣＤ−ＲＯＭであることを特徴とする請求項１７の光通信システム。
【請求項１９】
前記ＣＤがデジタル多用途ディスク（ＤＶＤ）であることを特徴とする請求項１７の光通信システム。
【請求項２０】
前記装置がコンパクト・ディスク・ドライブであることを特徴とする請求項１の光通信システム。
【請求項２１】
前記装置が市販されている標準コンパクト・ディスク・ドライブであることを特徴とする請求項１の光通信システム。
【請求項２２】
前記装置がコンパクト・ディスク・ドライブ・リーダーであることを特徴とする請求項１の光通信システム。
【請求項２３】
前記光通信要素と前記装置間で光通信が可能となるよう前記ハウジングにおいて前記反射層が配置されることを特徴とする請求項２の光通信システム。
【請求項２４】
前記検出器と前記装置間で光通信が可能となるよう前記ハウジングにおいて前記反射層が配置されることを特徴とする請求項２の光通信システム。
【請求項２５】
前記光通信要素と前記装置間および前記検出器と前記装置間で光通信が可能となるよう前記ハウジングにおいて前記反射層が配置されることを特徴とする請求項２の光通信システム。
【請求項２６】
前記ＣＤドライブ・リーダーがオン／オフ方法を用い光学データを発信するため設計および設定されることを特徴とする請求項２２の光通信システム。
【請求項２７】
前記ＣＤドライブ・リーダーが集中処理方法を用い光学データを発信するため設計及び設定されることを特徴とする請求項２２の光通信システム。
【請求項２８】
前記ＣＤドライブがオン／オフ・ピンに対し変調ビームを用い光学データを発信するため設計及び設定されることを特徴とする請求項２１の光通信システム。
【請求項２９】
前記光通信要素が発光ダイオード（ＬＥＤ）を含むことを特徴とする請求項１の光通信システム。
【請求項３０】
前記光通信要素がレーザー・ダイオード（ＬＤ）を含むことを特徴とする請求項１の光通信システム。
【請求項３１】
情報通信方法であって、
（ａ）データカードを含むシステムを提供し、
該データカードは、
（ｉ）及び（ｉｉ）を有するカードを含むシステムを提供すること，
（ｉ）演算装置と該演算装置に接続された少なくとも１つの光通信ユニットとを具備するハウジングと、
（ｉｉ）少なくとも半透明領域を有すると共に前記ハウジングに取り付けられた基板とを有し、
（ｂ）少なくとも前記半透明領域を介し、前記データカードに対して外部にある装置と該データカードの間で光学情報を通信する、
段階からなる情報通信方法。
【請求項３２】
前記光学情報の通信が、前記光通信要素を用いることにより外部光源からの光学入力の受信を含むことを特徴とする請求項３１に記載の方法。
【請求項３３】
前記光学情報の通信が、光通信要素を使うことによって前記装置への光学出力の放射を含むことを特徴とする請求項３１に記載の方法。
【請求項３４】
前記光通信要素が、発光ダイオード（ＬＥＤ）及びレーザーダイオード（ＬＤ）からなる群から選ばれたダイオードであることを特徴とする請求項３１に記載の方法。
【請求項３５】
前記外部光源が、ＣＤドライブに接続されていることを特徴とする請求項３１に記載の方法。
【請求項３６】
光学入力の受信がオン／オフ法によって行われることを特徴とする請求項３２に記載の方法。
【請求項３７】
光学入力の受信が集中処理法によって行われることを特徴とする請求項３２に記載の方法。
【請求項３８】
光学入力の受信が変調ビームによって行われることを特徴とする請求項３２に記載の方法。
【請求項３９】
光学入力の受信がＯＳ発見処理によって行われることを特徴とする請求項３２に記載の方法。
【請求項４０】
光学入力の受信が「Ｒｅｌｏａｄ Ｔｒａｃｋ」コマンドによって行われることを特徴とする請求項３２に記載の方法。
【請求項４１】
光学入力の受信が「ＳＥＥＫ」コマンドによって行われることを特徴とする請求項３２に記載の方法。
【請求項４２】
光学入力の受信が、前記外部光源のレンズの位置を、検出領域の下側に移動、検出領域の下側から離れるように制御することによって行われることを特徴とする請求項３２に記載の方法。
【請求項４３】
前記演算装置が前記ディスクに配置される光学データ蓄積領域と通信することを特徴とする請求項３１に記載の方法。
【請求項４４】
前記光学データ蓄積領域が、記録可能、読み取り可能、不変、読み取り専用、再記不可能な領域を有することを特徴とする請求項３１の方法。
【請求項４５】
前記演算装置がオペレーション・システム・コマンドを処理することを特徴とする請求項３１記載の方法。
【請求項４６】
前記演算装置が、前記ディスクと外部装置との通信を、光学通信要素によって、制御することを特徴とする請求項３１の方法。
【請求項４７】
前記演算装置に配列されたデータが前記光学蓄積領域から受信され、光源によって該光学蓄積領域と通信することを特徴とする請求項３１の方法。
【請求項４８】
（ｃ）前記ディスク上のデータをエンクリプト化する段階からなる請求項３１の方法。
【請求項４９】
（ｃ）前記データが、前記ディスク上に配列された少なくとも１つのアルゴリズムによってエンクリプト化される段階を含むことを特徴とする請求項３１の方法。
【請求項５０】
（ｃ）前記エンクリプト化データが、書き込み済みのエンクリプト化ルーティンによって、動作する段階からなることを特徴とする請求項３１の方法。
【請求項５１】
前記ハウジングが、前記演算装置にエネルギーを供給するためのエネルギー蓄積セルを更に有することを特徴とする請求項３１の方法。
【請求項５２】
前記ハウジングが、前記演算装置に接続した基板を更に有することを特徴とする請求項３１の方法。
【請求項５３】
前記少なくとも半透明領域を介した前記光学情報の通信が、前記光学情報が少なくとも１つのウィンドウを通過することによって、行われることを特徴とする請求項３１の方法。
【請求項５４】
前記システムが、前記基板と前記ハウジングとの間に配置された反射層を有することを特徴とする請求項３１の方法。
【請求項５５】
前記反射層が、少なくとも他の半透明領域を有し、前記光学情報の通信が、前記光学情報が該他の半透明領域を通過することによってなされることを特徴とする請求項５４の方法。
【請求項５６】
前記他の半透明領域が、少なくとも１つのウィンドウを有することを特徴とする請求項５４の方法。
【国際調査報告】
2004517397.tif 000055
2004517397.tif 000056